(57)【要約】【課題】振動時に異音がせず、操作時のフィーリングが良いプッシュスイッチを提供する。【解決手段】プッシュスイッチ１００は、筐体１と、操作体２と、弾性部材３と、接点部材４と、第１軸部５ａと第２軸部５ｂとを有する傾き防止レバー５と、を備え、操作体２は、第１軸部５ａを回動可能または第１水平方向へ移動可能に支持する第１支持部２ａを有し、筐体１は、第２軸部５ｂを回動可能または第１水平方向へ移動可能に支持する第２支持部１ａを有し、第２支持部１ａは、第１支持部２ａが第１軸部５ａを回動可能に支持する場合は第２軸部５ｂを第１水平方向へ移動可能に支持し、第１支持部２ａが第１軸部５ａを第１水平方向へ移動可能に支持する場合は第２軸部５ｂを回動可能に支持するプッシュスイッチであり、第２支持部１ａを複数有し、第２支持部１ａ間の中央部において、ガタ防止部材６が第２軸部５ｂに圧接する構成とした。【選択図】図２
2015050049.tif 000002
【特許請求の範囲】
【請求項１】
筐体と、
上下動可能な操作体と、
前記操作体を上方に付勢する弾性部材と、
前記操作体の上下動に伴って電気的に接離する接点部材と、
略Ｃ字形に形成され、両端が同一直線上に対向して配置されてなる第１軸部と前記第１軸部に平行に形成された第２軸部とを有する傾き防止レバーと、
を備え、
第１水平方向は、前記第２軸部が延出する方向に対して直角に交わる水平方向であり、
前記操作体は、前記第１軸部を回動可能または前記第１水平方向へ移動可能に支持する第１支持部を有し、
前記筐体は、前記第２軸部を回動可能または前記第１水平方向へ移動可能に支持する第２支持部を有し、
前記第２支持部は、前記第１支持部が前記第１軸部を回動可能に支持する場合は前記第２軸部を前記第１水平方向へ移動可能に支持し、前記第１支持部が前記第１軸部を前記第１水平方向へ移動可能に支持する場合は前記第２軸部を回動可能に支持するプッシュスイッチにおいて、
前記第２軸部に圧接するガタ防止部材を備え、
前記筐体は、所定の間隔で配置された前記第２支持部を複数有し、
前記第２支持部間の中央部において、前記ガタ防止部材が前記第２軸部に圧接することを特徴とするプッシュスイッチ。
【請求項２】
前記傾き防止レバーの前記第２軸部は、前記ガタ防止部材との圧接により、弾性変形範囲にて湾曲していることを特徴とする請求項１に記載の多方向入力装置。
【請求項３】
前記傾き防止レバーは金属線材からなることを特徴とする請求項１または請求項２に記載のプッシュスイッチ。
【発明の詳細な説明】
【技術分野】
【０００１】
本発明は、プッシュスイッチに関し、特に、振動時に異音がせず、操作時のフィーリングが良いプッシュスイッチに関するものである。
【背景技術】
【０００２】
キートップを備えたプッシュスイッチにおいては、操作時のキートップの傾きを防止するために傾き防止機構を備えたプッシュスイッチがある。このようなプッシュスイッチとしては、下記の特許文献１に記載のプッシュスイッチが知られている。
【０００３】
以下、図９を用いて、特許文献１に記載のプッシュスイッチについて説明する。図９は特許文献１に記載のプッシュスイッチ９００の構成を示す側面図である。
【０００４】
特許文献１に記載のプッシュスイッチ９００は、レバー支持部９１２を設けたキートップ９１１とレバー案内部９０４を設けた固定部材９０３との間にキートップ９１１の長手方向の傾きを防止するための線材を介在させてレバー９１５となし、レバー９１５がレバー支持部９１２に回動自在に支持されているとともにレバー案内部９０４に摺動自在に保持されているキーボードに用いられているプッシュスイッチである。レバー９１５が傾き防止機構となり、キートップ９１１が操作されたときの傾きを防止する。
【先行技術文献】
【特許文献】
【０００５】
【特許文献１】実開平３−３７７２３号公報
【発明の概要】
【発明が解決しようとする課題】
【０００６】
しかしながら、プッシュスイッチ９００のレバー９１５による傾き防止機構は、レバー９１５がレバー支持部９１２に回動自在に支持されているとともにレバー案内部９０４に摺動自在に保持されており、レバー９１５と、レバー支持部９１２およびレバー案内部９０４とは遊びを持って取り付けられている。そのため、プッシュスイッチ９００の傾き防止機構を備えたプッシュスイッチを振動がある場所で用いると、レバー９１５が振動し、他の構成部品と衝突することで異音が発生する。このように異音の発生するプッシュスイッチは敬遠されやすい。また、レバー９１５のガタツキを無くすために、レバー９１５とレバー案内部９０４との遊びをなくしてしまうと、操作時のフィーリングが悪化してしまうことが懸念される。
【０００７】
本発明は、上述した課題を解決して、振動時に異音がせず、操作時のフィーリングが良いプッシュスイッチを提供するものである。
【課題を解決するための手段】
【０００８】
請求項１に記載のプッシュスイッチにおいては、筐体と、上下動可能な操作体と、前記操作体を上方に付勢する弾性部材と、前記操作体の上下動に伴って電気的に接離する接点部材と、略Ｃ字形に形成され、両端が同一直線上に対向して配置されてなる第１軸部と前記第１軸部に平行に形成された第２軸部とを有する傾き防止レバーと、を備え、第１水平方向は、前記第２軸部が延出する方向に対して直角に交わる水平方向であり、前記操作体は、前記第１軸部を回動可能または前記第１水平方向へ移動可能に支持する第1支持部を有し、前記筐体は、前記第２軸部を回動可能または前記第１水平方向へ移動可能に支持する第２支持部を有し、前記第２支持部は、前記第１支持部が前記第１軸部を回動可能に支持する場合は前記第２軸部を前記第１水平方向へ移動可能に支持し、前記第１支持部が前記第１軸部を前記第１水平方向へ移動可能に支持する場合は前記第２軸部を回動可能に支持するプッシュスイッチにおいて、前記第２軸部に圧接するガタ防止部材を備え、前記筐体は、所定の間隔で配置された前記第２支持部を複数有し、前記第２支持部間の中央部において、前記ガタ防止部材が前記第２軸部に圧接する、という特徴を有する。
【０００９】
請求項２に記載のプッシュスイッチにおいては、前記傾き防止レバーの前記第２軸部は、前記ガタ防止部材との圧接により、弾性変形範囲にて湾曲している、という特徴を有する。
【００１０】
請求項３に記載のプッシュスイッチにおいては、前記傾き防止レバーは金属線材からなる、という特徴を有する。
【発明の効果】
【００１１】
請求項１の発明によれば、傾き防止レバーの第２軸部が、ガタ防止部材により圧接された状態で支持されていることで、第２軸部が延設される方向に傾き防止レバーをスライドさせる力が働いたときに、ガタ防止部材と第２軸部との圧接面には摺動負荷が発生する。そのため、振動発生時に傾き防止レバーの第２軸部が延設される方向への動きを規制することができ、異音の発生を抑制することができる。また、ガタ防止部材は操作体の上下動に伴う傾き防止レバーの動きを妨げない。したがって、振動時に異音がせず、操作時のフィーリングが良いプッシュスイッチを提供することができる、という効果を奏する。
【００１２】
請求項２の発明によれば、ガタ防止部材と圧接し第２軸部が湾曲することで、第２軸部が延設される方向に傾き防止レバーをスライドさせる力が働いたときに、傾き防止レバーの第２軸部が延設される方向への動きをより確実に規制することができ、異音の発生をより抑制することができる。また、傾き防止レバーの第２軸部の湾曲が弾性変形状態であることで、操作体が上下動した際の傾き防止レバーの揺動動作に追従して湾曲方向が変化できるため、安定した操作感を得ることができる。したがって、振動時に異音がせず、操作時のフィーリングが良いプッシュスイッチを提供することができる、という効果を奏する。
【００１３】
請求項３の発明によれば、傾き防止レバーを金属線材で形成することで、剛性樹脂材で形成した場合に比べて、傾き防止レバーを細くしても所望の強度を備えるとともに破損し難くすることができる。したがって、より小型で振動時に異音がせず、操作時のフィーリングが良いプッシュスイッチを提供することができる、という効果を奏する。
【００１４】
以上より、本発明によれば、振動時に異音がせず、操作時のフィーリングが良いプッシュスイッチを提供することができる。
【図面の簡単な説明】
【００１５】
【図１】第１実施形態におけるプッシュスイッチ１００の外観を示す斜視図である。
【図２】第１実施形態におけるプッシュスイッチ１００の構成を示す分解斜視図である。
【図３】第１実施形態における筐体１を示す図である。
【図４】第１実施形態における操作体２を示す図である。
【図５】第１実施形態におけるスイッチユニット３０を示す模式断面図である。
【図６】第１実施形態におけるプッシュスイッチ１００の構造を示す模式断面図である。
【図７】第１実施形態における第１支持部２ａおよび第２支持部１ａと傾き防止レバー５との係合状態を示す図である。
【図８】第１実施形態におけるガタ防止部材６に圧接し湾曲した第２軸部５ｂを示す図である。
【図９】特許文献１に記載のプッシュスイッチ９００の構成を示す側面図である。
【発明を実施するための形態】
【００１６】
［第１実施形態］
以下に第１実施形態におけるプッシュスイッチ１００について説明する。
【００１７】
まず始めに本実施形態におけるプッシュスイッチ１００の構成について図１ないし図５を用いて説明する。図１は第１実施形態におけるプッシュスイッチ１００の外観を示す斜視図である。図２は第１実施形態におけるプッシュスイッチ１００の構成を示す分解斜視図である。図３は第１実施形態における筐体１を示す図であり、図３（ａ）は筐体１の外観を示す斜視図あり、図３（ｂ）は図３（ａ）に示すＸ１方向側から見た状態の筐体１の外観を示す模式図である。図４は第１実施形態における操作体２を示す図であり、図４（ａ）は操作体２の外観を示す斜視図であり、図４（ｂ）は図４（ａ）に示すＸ１方向側から見た状態の操作体２を示す正面図であり、図４（ｃ）は図４（ａ）に示すＹ２方向側から見た状態の操作体２を示す側面図である。図５は第１実施形態におけるスイッチユニット３０を示す模式断面図であり、図５（ａ）は押圧操作前のスイッチユニット３０を示す模式断面図であり、図５（ｂ）は押圧操作後のスイッチユニット３０を示す模式断面図である。
【００１８】
プッシュスイッチは、図１に示すように、筐体１から外部に突出した操作体２を押圧することで入力操作を行なうことができ、図２に示すように、筐体１と、傾き防止レバー５と、ガタ防止部材６、配線基板７と、スイッチユニット３０と、を備えている。
【００１９】
傾き防止レバー５は断面が円形の金属線材からなり、図２に示すように、略Ｃ字形に形成され、両端が同一直線上に対向して配置されてなる第１軸部５ａと第１軸部５ａに平行に形成された第２軸部５ｂとを有する。なお、本実施形態においては、２つの傾き防止レバー５が用いられている。
【００２０】
筐体１は、合成樹脂材からなり、図３に示すように、上下方向（Ｚ１−Ｚ２方向）が開放し、開口が略長方形の筒形状に形成されている。筐体１は、長手面（Ｘ１−Ｘ２方向の面）１ｂには第２支持部１ａを有し、第２支持部１ａは所定の間隔で複数個配置されている。なお本実施形態においては、それぞれの長手面１ｂの両端に１つずつ第２支持部１ａが形成されており、傾き防止レバー５の第１軸部５ａに対応可能な間隔であるとともに、同じ高さの位置に配置されている。第２支持部１ａは長手面１ｂに対して垂直方向に突出した２つのガイド部１ｃからなり、ガイド部１ｃ同士は第１軸部５ａの断面径寸法とほぼ同じ寸法の間隔を空けて、上下方向に並んで設けられている。
【００２１】
なお、本実施形態においては、ガタ防止部材６は筐体１と一体に形成されており、第２支持部１ａ間の中央部に配置され、第２支持部１ａが突出する方向へ突出している。なお、ガタ防止部材６はＹ１−Ｙ２方向側に長方形の広い面を備えた板状に突出しており、図３（ｂ）に示すように、ガタ防止部材６の上端部の高さは、第２支持部１ａを成す対となるガイド部１ｃのうち、下方に配置されているガイド部１ｃの配置位置よりも高い。
【００２２】
操作体２は合成樹脂材からなり、図４に示すように、直方体状に形成されている。操作体２は、直方体状に形成された基部２ｂと、基部２ｂよりも小さな直方体状に形成されるとともに基部２ｂの下方に連続して形成された延設部２ｃと、を有している。操作体２は延設部２ｃの下面の中央部には下方へ突出して押圧部２ｆを有している。なお、延設部２ｃは筐体１の開口内に挿入可能な大きさに形成されている。また、操作体２は、基部２ｂの長手方向側（Ｙ１−Ｙ２方向側）にそれぞれ２つずつ第１支持部２ａを有している。第１支持部２ａは、長手方向側の面の幅方向（Ｘ１−Ｘ２方向）の両端から下方（Ｚ２方向）へ延設されている。第１支持部２ａは、長手方向側から見たときに、第１軸部５ａの断面とほぼ同じ大きさの円形の孔部２ｄが形成されている。同じ長手方向側の面に形成された第１支持部２ａにおいては、図４（ｃ）に示すように、第１支持部２ａの、第１支持部２ａ同士が対向しない側には、孔部２ｄに繋がるスリット部２ｅが形成され、スリット部２ｅより下方に形成された第１支持部２ａは弾性を有している。
【００２３】
スイッチユニット３０は、図５に示すように、弾性部材３と、接点部材４と、アクチュエータ８と、カバー部材９と、ケース部材１０とを備えている。
【００２４】
ケース部材１０は合成樹脂材からなり、直方体状に形成され、上方側（Ｚ１方向側）が開放された中空な空間である収納部１０ａを備えている。
【００２５】
接点部材４は、第１固定接点部材４ａと第２固定接点部材４ｂと可動接点部材４ｃとからなり、それぞれ金属板から形成されている。第１固定接点部材４ａおよび第２固定接点部材４ｂは、ケース部材１０と一体に形成され、収納部１０ａの内部底面からそれぞれ露出している。第１固定接点部材４ａは収納部１０ａの内部底面の中央部に形成され、第２固定接点部材４ｂは収納部１０ａの内部底面の外周側で対向する位置に２箇所形成されている。なお、第１固定接点部材４ａと第２固定接点部材４ｂとは電気的に絶縁されている。可動接点部材４ｃは中央部が突出したドーム形状に形成されており、ケース部材１０の収納部１０ａに収納可能な大きさであるとともに、弾性を備えている。可動接点部材４ｃの中央部を突出した側から押圧すると、押圧された方向へ撓み、押圧を解除すると押圧前の状態に復帰する。なお、本実施形態においては、可動接点部材４ｃが弾性部材３の機能を兼ねる。
【００２６】
カバー部材９は金属板から形成されており、ケース部材１０の収納部１０ａの上方を覆うことができる大きさに形成された天板部９ａを有している。また、カバー部材９は、天板部９ａの中央部には円形状に形成された開口部９ｂを有し、天板部９ａの外周端部にはそれぞれ下方へ延設された側壁部９ｃを有している。
【００２７】
アクチュエータ８は合成樹脂材からなり、円柱状に形成されている。アクチュエータ８は円柱状に形成された操作部８ａを有し、操作部８ａの一方端（Ｚ２方向側端）には円周面に沿って外方へ向かって円盤状に形成された鍔部８ｂを有する。また、操作部８ａの一方側の端面には突出して形成された突起部８ｃを有する。なお、操作部８ａの直径は、カバー部材９の開口部９ｂに挿入可能な大きさに形成されている。
【００２８】
前述のような構成部品からなるスイッチユニット３０は、図５（ａ）に示すように、ケース部材１０の収納部１０ａの内部に可動接点部材４ｃが配置される。可動接点部材４ｃは中央部が突出した側を上方に向けて配置されており、可動接点部材４ｃの外周端部は第２固定接点部材４ｂ上に配置され、可動接点部材４ｃと第２固定接点部材４ｂとは常時電気的に導通している。なお、可動接点部材４ｃと第１固定接点部材４ａとは非操作時には電気的に導通していないが、可動接点部材４ｃが下方に撓むことで電気的に導通が可能となる。アクチュエータ８は突起部８ｃが可動接点部材４ｃと当接するようにケース部材１０の収納部１０ａの内部に配置され、可動接点部材４ｃにより上方へ付勢される。カバー部材９はアクチュエータ８の操作部８ａを開口部９ｂに挿通させた状態でケース部材１０の上方を覆うように配置され、側壁部９ｃでケース部材１０の側面を覆うようにしてケース部材１０に係止される。このようにしてスイッチユニット３０は形成される。
【００２９】
スイッチユニット３０は、図５（ｂ）に示すように、アクチュエータ８を下方に押圧するとアクチュエータ８が可動接点部材４ｃを下方に押圧し、可動接点部材４ｃは下方に撓み、第１固定接点部材４ａに接触する。これにより、可動接点部材４ｃを介して第１固定接点部材４ａと第２固定接点部材４ｂとが電気的に接続される。また、アクチュエータ８への押圧を解除すると、スイッチユニット３０は操作前の状態に戻り、第１固定接点部材４ａと第２固定接点部材４ｂとの電気的接続は解除される。このようにしてアクチュエータ８の動作に伴い第１固定接点部材４ａと第２固定接点部材４ｂとの電気的な接続の切り替え、すなわち接点部材４の電気的な接続の切り替えが可能となることでスイッチとして機能する。
【００３０】
配線基板７は、図２に示すように、長方形状に形成されたガラスエポキシ基板であり、配線パターンが設けられている。なお、配線基板７は筐体１の下方側の開口を覆うことができる大きさに形成されている。
【００３１】
次にプッシュスイッチ１００の構造について図１、図６ないし図８を用いて説明する。図６は第１実施形態におけるプッシュスイッチ１００の構造を示す模式断面図であり、図６（ａ）は押圧操作前のプッシュスイッチ１００を示す模式断面図であり、図６（ｂ）は押圧操作後のプッシュスイッチ１００を示す模式断面図である。なお、図６においては傾き防止レバー５を図示しておらず、スイッチユニット３０は断面表示していない。図７は第１実施形態における第１支持部２ａおよび第２支持部１ａと傾き防止レバー５との係合状態を示す図であり、図７（ａ）は押圧操作前の第１支持部２ａおよび第２支持部１ａと傾き防止レバー５との係合状態を示す図であり、図７（ｂ）は押圧操作後の第１支持部２ａおよび第２支持部１ａと傾き防止レバー５との係合状態を示す図であり、図７（ｃ）は図７（ｂ）に示すＡ部を拡大した拡大図である。図８は第１実施形態におけるガタ防止部材６に圧接し湾曲した第２軸部５ｂを示す図である。
【００３２】
スイッチユニット３０は、図６に示すように、配線基板７上に半田付けにより固定されている。また、筐体１は開口内部にスイッチユニット３０が納まるように配線基板７上にネジ止めにて固定されている。なお、スイッチユニット３０は開口内部の中央位置に配置されている。操作体２は筐体１の上方から延設部２ｃを筐体１の開口内部に挿入され、上下動可能な状態で保持される。なお、筐体１の開口内部に挿入された操作体２は、押圧部２ｆがスイッチユニット３０のアクチュエータ８に当接しており、操作体２を上下動させることでスイッチユニット３０を操作可能である。また、操作体２は弾性部材３である可動接点部材４ｃ（図５参照）により、アクチュエータ８を介して上方に付勢されている。傾き防止レバー５は、図１および図７に示すように第１軸部５ａを第１支持部２ａに組み込み回動可能に支持されるとともに、第２軸部５ｂを第２支持部１ａに組み込み、第２軸部５ｂが延出する方向に対して直角に交わる水平方向である図７に示す第１水平方向ＤＲ１（Ｘ１―Ｘ２方向）へ移動可能に支持されている。また、第２支持部１ａに組み込まれた第２軸部５ｂは、第２支持部１ａ間の中央部において、ガタ防止部材６に圧接し、図８に示すように、弾性変形範囲にて上方（Ｚ１方向）へ湾曲している。なお、第２軸部５ｂの湾曲量は、第２軸部５ｂの第１水平方向ＤＲ１への移動を妨げない程度である。傾き防止レバー５により筐体１と連結された操作体２は、筐体１から抜け落ちることなく、上下方向へ移動可能に保持される。
【００３３】
次にプッシュスイッチの動作について図５ないし図７を用いて説明する。
【００３４】
図７（ａ）に示す押圧操作前の状態から、図７（ｂ）に示すように操作体２を下方へ押圧操作すると、図７（ｃ）に示すように、傾き防止レバー５は第１支持部２ａに支持された第１軸部５ａを中心に回転するとともに、第２支持部１ａに支持された第２軸部５ｂが、第１水平方向ＤＲ１（図７（ｃ）においてはＸ１方向）へ移動することで、操作体２は下方へ移動する。下方へ移動した操作体２は、図６に示すように、押圧部２ｆを介してスイッチユニット３０のアクチュエータ８を押圧し、図５に示すように、可動接点部材４ｃと第１固定接点部材４ａとが接触し、接点部材４の電気的な接続状態を切り替える。また、操作体２への押圧操作を解除すると、弾性部材３である可動接点部材４ｃの付勢力により、操作体２は操作前の状態に復帰し、接点部材４の電気的な接続状態も押圧操作前の状態に戻る。このように接点部材４が操作体２の上下動に伴って電気的に接離することで入力を行なうことができる。
【００３５】
以下、本実施形態としたことによる効果について説明する。
【００３６】
本実施形態のプッシュスイッチ１００では、筐体１と、上下動可能な操作体２と、操作体２を上方に付勢する弾性部材３と、操作体２の上下動に伴って電気的に接離する接点部材４と、略Ｃ字形に形成され、両端が同一直線上に対向して配置されてなる第１軸部５ａと第１軸部５ａに平行に形成された第２軸部５ｂとを有する傾き防止レバー５と、を備え、第１水平方向ＤＲ１は、第２軸部５ｂが延出する方向に対して直角に交わる水平方向であり、操作体２は、第１軸部５ａを回動可能または第１水平方向ＤＲ１へ移動可能に支持する第１支持部２ａを有し、筐体１は、第２軸部５ｂを回動可能または第１水平方向ＤＲ１へ移動可能に支持する第２支持部１ａを有し、第２支持部１ａは、第１支持部２ａが第１軸部５ａを回動可能に支持する場合は第２軸部５ｂを第１水平方向ＤＲ１へ移動可能に支持し、第１支持部２ａが第１軸部５ａを第１水平方向ＤＲ１へ移動可能に支持する場合は第２軸部５ｂを回動可能に支持するプッシュスイッチにおいて、第２軸部５ｂに圧接するガタ防止部材６を備え、筐体１は、所定の間隔で配置された第２支持部１ａを複数有し、第２支持部１ａ間の中央部において、ガタ防止部材６が第２軸部５ｂに圧接する、構成とした。
【００３７】
これにより、傾き防止レバー５の第２軸部５ｂが、ガタ防止部材６により圧接された状態で支持されていることで、第２軸部５ｂが延設される方向に傾き防止レバー５をスライドさせる力が働いたときに、ガタ防止部材６と第２軸部５ｂとの圧接面には摺動負荷が発生する。そのため、振動発生時に傾き防止レバー５の第２軸部５ｂが延設される方向への動きを規制することができ、異音の発生を抑制することができる。また、第２軸部５ｂの湾曲量は、第２軸部５ｂの第１水平方向ＤＲ１への移動を妨げない程度であるため、ガタ防止部材６は操作体２の上下動に伴う傾き防止レバー５の動きを妨げない。したがって、振動時に異音がせず、操作時のフィーリングが良いプッシュスイッチを提供することができる。
【００３８】
また、本実施形態においては、ガタ防止部材６を射出成形により筐体１と一体に形成しているため、別部材として形成した場合に比べて、簡易な構造で安価に対応できる、という効果を奏する。
【００３９】
また、本実施形態においては、所定の間隔で複数配置されは第２支持部１ａを筐体１の長手方向の両端に１つずつ形成する構成としている。第２支持部１ａの間隔をできるだけ長くし、その中央部でガタ防止部材６と第２軸部５ｂとを圧接させることで、第２軸部５ｂが撓む（湾曲する）ことによる操作感触の悪化を緩和させることができる。したがって、振動時に異音がせず、操作時のフィーリングがより良いプッシュスイッチを提供することができる。
【００４０】
また、本実施形態のプッシュスイッチ１００では、傾き防止レバー５の第２軸部５ｂは、ガタ防止部材６との圧接により、弾性変形範囲にて湾曲している、構成とした。
【００４１】
これにより、ガタ防止部材６と圧接し第２軸部５ｂが湾曲することで、第２軸部５ｂが延設される方向に傾き防止レバー５をスライドさせる力が働いたときに、傾き防止レバー５の第２軸部５ｂが延設される方向への動きをより確実に規制することができ、異音の発生をより抑制することができる。また、傾き防止レバー５の第２軸部５ｂの湾曲が弾性変形状態であることで、操作体２が上下動した際の傾き防止レバー５の揺動動作に追従して湾曲方向が変化できるため、安定した操作感を得ることができる。したがって、振動時に異音がせず、操作時のフィーリングが良いプッシュスイッチを提供することができる、という効果を奏する。
【００４２】
また、本実施形態のプッシュスイッチ１００では、傾き防止レバー５は金属線材からなる、構成とした。
【００４３】
これにより、傾き防止レバー５を金属線材で形成することで、剛性樹脂材で形成した場合に比べて、傾き防止レバー５を細くしても所望の強度を備えるとともに破損し難くすることができる。したがって、より小型で振動時に異音がせず、操作時のフィーリングが良いプッシュスイッチを提供することができる、という効果を奏する。
【００４４】
以上のように、本発明の実施形態に係るプッシュスイッチを具体的に説明したが、本発明は上記の実施形態に限定されるものではなく、要旨を逸脱しない範囲で種々変更して実施することが可能である。例えば次のように変形して実施することができ、これらの実施形態も本発明の技術的範囲に属する。
【００４５】
[変形例１]
第１実施形態において、傾き防止レバー５は、第１軸部５ａを第１支持部２ａに組み込み回動可能に支持されるとともに、第２軸部５ｂを第２支持部１ａに組み込み、第２軸部５ｂが延出する方向に対して直角に交わる水平方向である第１水平方向ＤＲ１（Ｘ１―Ｘ２方向）へ移動可能に支持されている構成とした。しかし、第１軸部５ａを第１支持部２ａに組み込み第１水平方向ＤＲ１（Ｘ１―Ｘ２方向）へ移動可能に支持されるとともに、第２軸部５ｂを第２支持部１ａに組み込み、第２軸部５ｂが回動可能に支持されている構成であってもよい。このような構成としても同様の効果を得ることができる。
【００４６】
[変形例２]
第１実施形態において、ガタ防止部材６を筐体１と一体に形成しているが、ガタ防止部材６と筐体１とを別部品として構成しても良い。また、別部品として設けたガタ防止部材６の取り付け高さを調整可能な構成にしてもよい。ガタ防止部材６の取り付け高さを調整可能とすることで、第２軸部５ｂの湾曲量を微調整することが可能となり、操作時のフィーリングがより良いプッシュスイッチを提供することができる。
【００４７】
[変形例３]
第１実施形態において、操作体２は照光機能を備えていないが、必要に応じて操作体２が照光する構造としても良い。照光機能を設け点灯することで、暗所での操作がしやすくなる。
【００４８】
[変形例４]
第１実施形態において、傾き防止レバー５は操作体２の両側に設けられているが、片側にだけ設ける構造であっても良い。
【符号の説明】
【００４９】
１      筐体
１ａ    第２支持部
１ｂ    長手面
１ｃ    ガイド部
２      操作体
２ａ    第１支持部
２ｂ    基部
２ｃ    延設部
２ｄ    孔部
２ｅ    スリット部
２ｆ    押圧部
３      弾性部材
４      接点部材
４ａ    第１固定接点部材
４ｂ    第２固定接点部材
４ｃ    可動接点部材
５      傾き防止レバー
５ａ    第１軸部
５ｂ    第２軸部
６      ガタ防止部材
７      配線基板
８      アクチュエータ
８ａ    操作部
８ｂ    鍔部
８ｃ    突起部
９      カバー部材
９ａ    天板部
９ｂ    開口部
９ｃ    側壁部
１０    ケース部材
１０ａ  収納部
３０    スイッチユニット
１００  プッシュスイッチ
ＤＲ１  第１水平方向
【図１】
2015050049.tif 000003
【図２】
2015050049.tif 000004
【図３】
2015050049.tif 000005
【図４】
2015050049.tif 000006
【図５】
2015050049.tif 000007
【図６】
2015050049.tif 000008
【図７】
2015050049.tif 000009
【図８】
2015050049.tif 000010
【図９】
2015050049.tif 000011